(57)【特許請求の範囲】
【請求項１】
複数の圧電素子を積層して振動体を構成し、前記振動体と接
する移動体を駆動する超音波モータにおいて、
前記振動体は同一面内に複数の内部電極を有する圧電素子を複数積層した積層圧電素子からなり、
前記積層圧電素子の側面には、前記内部電極を前記圧電素子の積層方向で短絡する二つの外部電極と、前記同一面内の複数の内部電極同士を短絡する外部電極と、
を有する超音波モータ。
【請求項２】
前記複数の圧電素子のうち少なくとも一枚は電極を有さない
圧電素子であることを特徴とする請求項１記載の超音波モータ。
【請求項３】
前記複数の外部電極を短絡する複数の導通手段を有し、少なくとも一つの前記導通手段は、分極時に接地した外部電極と分極時に電位を加えた外部電極を短絡することを特徴とする請求項１記載の超音波モータ。
【請求項４】
前記振動体は矩形形状であり、駆動信号を印加する外部電極を選択することにより、前記振動体に励振する縦振動と屈曲振動の位相を逆転させ前記移動体の移動方向を切り替えることを特徴とする請求項１記載の超音波モータ。
【請求項５】
前記振動体は矩形形状であり、前記複数の外部電極は第一の駆動信号もしくは第二の駆動信号が印加され、前記第一の駆動信号により前記振動体には縦振動が励振され、前記第二の駆動信号により前記振動体には屈曲振動が励振され、前記移動体を駆動することを特徴とする請求項１記載の超音波モータ。
【請求項６】
複数の圧電素子を積層して振動体を構成し、前記振動体と接する移動体を駆動する超音波モータの製造方法であって、前記振動体は複数の内部電極が設けられた同一の圧電素子シート材を面内方向に位置をずらしながら積層し、個々の振動体形状に分割した後で、前記分割した面に前記積層圧電素子の内部電極を前記圧電素子の積層方向で短絡する外部電極と、同一面内の複数の内部電極同士を短絡する外部電極と、を設ける工程を有することを特徴とする超音波モータの製造方法。
【請求項７】
請求項１から５のいずれか一項に記載の超音波モータを備えた電子機器。
【発明の詳細な説明】
【０００１】
【発明の属する技術分野】
本発明は、超音波モータ及びその製造方法、ならびに超音波モータを備えた電子機器に関する。
【０００２】
【従来の技術】
弾性体の共振モードを利用した超音波モータは制御性に優れ、近年特に精密位置決め用アクチュエータとしても注目されている。特に、各種ステージ用のアクチュエータとしてはリニヤ型の超音波モータが要求される場合が多く、多くのタイプが提案され研究されている。その中でも、矩形板の縦（伸縮）振動と屈曲振動の合成振動を利用した超音波モータは様々なものが研究されている（例えば、特許文献１参照。）。これらの中でも、例えば特許文献１に示す様に矩形状の圧電素子単板を厚み方向に分極処理すると共に4分割された電極を設け、対角と成る電極を組とし、一組の電極に駆動信号を印加することで圧電素子からなる振動体に縦振動と屈曲振動を励振し、これと接する移動体を駆動する原理のものは様々な用途に実用化も進められている。
【０００３】
【特許文献１】
特許２９８０５４１号公報（第７−８頁、第１図）
【０００４】
【発明が解決しようとする課題】
しかしながら従来の構造では振動体の駆動に極めて高い電圧を必要とし、大きな昇圧回路を必要とする為、駆動回路の大型化、複雑化を招き駆動回路の価格も高価なものになってしまった。そしてこの場合、小型な機器、特にバッテリーで駆動される用途への適用は難しかった。また、振動体の構造としては圧電素子の厚みが薄いと十分な出力が得られないと共に、機械的強度も低く破損につながる恐れもあった。逆に厚みを厚くすると分極電圧が極めて高く、製造プロセスが複雑になる等の問題があった。そして、本構成では圧電素子の圧電横効果を用いているために大きな出力が得られなかった。
【０００５】
【課題を解決するための手段】
そこで、本発明の第１の態様は、複数の圧電素子を積層して振動体を構成し、前記振動体と接する移動体を駆動する超音波モータにおいて、前記振動体は同一面内に複数の内部電極を有する圧電素子を複数積層した積層圧電素子からなり、前記積層圧電素子の側面には、前記内部電極を前記圧電素子の積層方向で短絡する二つの外部電極と、前記同一面内の複数の内部電極同士を短絡する外部電極と、
を有する超音波モータ。
にある。
【０００６】
本発明の第２の態様は、第１の態様の超音波モータの製造方法であって、前記振動体は複数の内部電極が設けられた同一の圧電素子シート材を面内方向に位置をずらしながら積層し、個々の振動体形状に分割した後で、前記分割した面に前記積層圧電素子の内部電極を前記圧電素子の積層方向で短絡する外部電極と、同一面内の複数の内部電極同士を短絡する外部電極と、を設ける工程を有することを特徴とする超音波モータの製造方法にある。
【０００７】
本発明の第３の態様は、第１の態様の超音波モータを備えた電子機器にある。
【００１３】
【発明の実施の形態】
本発明の実施の形態を図面を基に説明する。
【００１４】
図１は本発明の積層圧電素子１を振動体として用いたリニヤ型超音波モータの構成例を示したものである。矩形状の積層圧電素子1には突起２ａ，２ｂ並びに凹部を有する支持部材3が設けられている。加圧部材4の軸部4aは段部を有し、案内板5の案内穴5aで、軸方向にのみ移動可能に案内されている。突起２ａ，２ｂの下には案内部材８ａ，８ｂに案内された移動体7が設けられ、支持部材3は加圧部材4の凹部に係合し、加圧部材4を加圧手段6で加圧することにより突起２ａ，２ｂと移動体7は接している。
【００１５】
ところで、積層圧電素子1は縦振動と屈曲振動を励振する。例えば、図２に積層圧電素子1の長手方向に対する振動振幅の様子を示したものであり、図２（a）は縦振動の様子を図２（ｂ）は屈曲振動の様子を示したものである。縦振動、屈曲振動共に積層圧電素子1の中央部が振動の節となり、この位置に支持部材3が設けられている。また屈曲振動の腹の位置に突起２ａ，２ｂが設けられている。この縦振動と屈曲振動を同時に励振することにより突起２ａ，２ｂは積層振動子1の長手方向の変位と、これと直交する幅方向の変位からなる楕円運動を行い移動体7を駆動する。ところで、二つの振動モードはその次数に制限を与えられるものではなく、他のモードを用いても構わない。また、移動体７を固定し、振動体自体を駆動させても構わない。
【００１６】
（実施の形態１）
具体的に積層圧電素子９の構成例を図３を基に説明する。図３(a)，図３（ｃ）はそれぞれ矩形形状からなり、積層圧電素子9を表裏から見た図であり、図３（ｄ），図３（ｅ）は断面図である。即ち図３（ｄ），図３(e)に示す様に、内部電極10a、10ｂもしくは内部電極10ｃ、10ｄを一方の面に有する圧電素子9a、9ｂを交互に積層した構造となっている。内部電極10a、10ｂ、10ｃ、10ｄは圧電素子9a、9ｂの長手方向にほぼ二分した形状となっており、積層圧電素子9の一つの面方向にのみ張り出しており、積層圧電素子9の側面で外部電極11a、11ｂ、11ｃ、11ｄ、11eで短絡されている。外部電極11a、11ｂ、11ｃ、11ｄは積層圧電素子9の面内の向かい合う辺の中心を結ぶ線で分けられる四つの領域それぞれにおいて内部電極10a、10ｂを短絡している。外部電極1 1eは内部電極10ｃ、10ｄ全てを短絡している。
【００１７】
ここで外部電極11eをGNDとして外部電極11a、11ｂ、11ｃ、11ｄに高電圧を加えることで積層方向に方向に分極処理がなされる。
【００１８】
本積層圧電素子9の駆動方法であるが、例えば次の二通りがある。外部電極11a、11ｄと外部電極11eの間に、もしくは外部電極11ｂ、11ｃと外部電極11eの間に駆動信号を印加することで積層圧電素子9の面内の向かい合う辺の中心を結ぶ線で分けられる四つの領域の対角にある二つの領域が伸縮することで積層圧電素子9に縦振動と屈曲振動が励振される。駆動信号を印加する領域を切り替えることで縦振動と屈曲信号の位相が逆転し、移動体7の移動方向も変化する。別の方法としては外部電極11eをGNDとして外部電極11a、11ｄと外部電極11ｂ、11ｃの間に位相の異なる駆動信号、例えば90度もしくは−90度異なる信号を印加することで積層圧電素子9に縦振動と屈曲振動が励振される。位相を逆転させることで縦振動と屈曲信号の位相が逆転し、移動体7の移動方向も逆となる。
【００１９】
ところで、この積層圧電素子9の製法を図４に示すが、例えば積層圧電素子9が複数取れる大きさの圧電素子のシート12上に複数の積層圧電素子分の電極10を印刷等によって設ける。このシート12を複数枚重ねた後で電極を有さない圧電素子を最後に重ねて積層し、仮燒結してバインダーを飛ばした後、個々の積層圧電素子9にダイシング等によって分割され本焼成される。そして外部電極11a、11ｂ、11ｃ、11ｄ、11eが付けられた後、分極処理がなされ完成となる。このように、同一のシート１２のみを積層すれば良いため、各シートの電極付けの工程も含め、全て同一作業の繰り返しとなり、製造時間の大幅な短縮並びに電極付けマスク等の治具も少なくて済む。
【００２０】
ここでダイシングによる分割部を点線５０で示したが、内部電極10の一方の辺が交互に点線５０に位置し、分割後には内部電極10a、10ｂ、10ｃ、10ｄを構成する様に交互にシート12は位置をずらして重ねられる。実際にはシート12上の電極10は実際の内部電極10a、10ｂ、10ｃ、10ｄの大きさよりも若干大きなものが設けられており、分割時の寸法の誤差が生じても分割面に張り出す様に設定される。そしてこの様に最上面に電極を有さない圧電素子9ｃを積層することで、最上面、最下面の圧電素子は駆動力を生じない為、振動のバランスがとれるため、不要振動が発生しにくい。
【００２１】
また、ここで積層圧電素子9は金属等の弾性体と接合して振動体を構成しても構わないし、各圧電素子の電極の短絡も積層圧電素子の側面に限るものではなく、スルーホール等を用いても構わない。
【００２２】
（実施の形態２）
次に、実施の形態１の変形例を以下に示す。ここでは積層圧電素子13の積層方向に伸縮する為、圧電縦効果が使え大きな出力が得られる。
【００２３】
図５(a)，図５（ｃ）はそれぞれ矩形形状からなる実施の形態２の積層圧電素子13を表裏から見た図であり、図５（ｄ），図５（ｅ）は断面図である。即ち、図５（ｄ），図５（ｅ）に示す様に内部電極14a、14ｂもしくは内部電極14ｃ、14ｄを一方の面に有する圧電素子13a、13ｂを交互に積層した構造となっている。内部電極14a、14ｂ、14ｃ、14ｄは圧電素子13a、13ｂの長手方向にほぼ二分した形状となっており、積層圧電素子13の一つの面方向にのみ張り出しており、積層圧電素子13の側面で外部電極15a、15ｂ、15ｃ、15ｄ、15eで短絡されている。外部電極15a、15ｂ、15ｃ、15ｄは積層圧電素子13の面内の向かい合う辺の中心を結ぶ線で分けられる四つの領域それぞれにおいて内部電極14a、14ｂを短絡している。外部電極15eは内部電極14ｃ、14ｄ全てを短絡している。
【００２４】
ここで外部電極15eをGNDとして外部電極15a、15ｂ、15ｃ、15ｄに高電圧を加えることで積層方向に分極処理がなされる。
【００２５】
本積層圧電素子13の駆動方法であるが、例えば次の二通りがある。外部電極15a、15ｄと外部電極15eの間に、もしくは外部電極15ｂ、15ｃと外部電極15eの間に駆動信号を印加することで積層圧電素子13の面内の向かい合う辺の中心を結ぶ線で分けられる四つの領域の対角にある二つの領域が伸縮し、積層圧電素子13に縦振動と屈曲振動が励振される。駆動信号を印加する領域を切り替えることで縦振動と屈曲信号の位相が逆転し、移動体7の移動方向も変化する。別の方法としては外部電極15eをGNDとして外部電極15a、15ｄと外部電極15ｂ、15ｃの間に位相の異なる駆動信号、例えば90度もしくは−90度異なる信号を印加することで積層圧電素子13に縦振動と屈曲振動が励振される。位相を逆転させることで縦振動と屈曲信号の位相が逆転し、移動体7の移動方向も逆となる。
【００２６】
（実施の形態３）
実施の形態３に示す積層圧電素子16の構成を図６に示すが、基本的には実施の形態１に示したものと共通であり、違いは外部電極17a、17ｂ、17ｃ、17ｄと分極方向、駆動方法のみであるため、相違点のみを述べ共通点の説明を省略する。
【００２７】
外部電極17eは積層圧電素子16の一つの面の幅方向中央部で内部電極10a、10ｂと短絡される。外部電極17eで短絡される圧電素子部分の両側の部分では外部電極17a、17ｂによって内部電極10aが、外部電極17ｃ、17ｄによって内部電極10ｂが短絡される。また積層圧電素子16の反対の面では外部電極17fによって内部電極10ｃ、10ｄが短絡される。
【００２８】
ここで、外部電極17ｆをGNDとして外部電極17a、17ｂ、17ｃ、17ｄ、17eに電圧を加えることにより分極処理を行う。この場合の駆動方法としては、外部電極17ｆをGNDとして外部電極17eに第一の駆動信号を印加することにより縦振動を励振する。また外部電極17a、17ｄもしくは外部電極17ｂ、17ｃに第二の駆動信号を印加することにより屈曲振動が励振され、移動体7を駆動する。どちらの外部電極に信号を印加するかによって縦振動と屈曲信号の位相が反転し、移動体7の移動方向も変わる。
【００２９】
別な駆動方法としては、外部電極17ｆをGNDとして外部電極17a、17ｄ、17eにプラス方向の、外部電極17ｂ、17ｃにマイナス方向の電圧を加えることにより分極処理を行う。この場合の駆動方法としては、外部電極17ｆを共通電極（GND）として外部電極17a、17ｂ、17ｃ、17ｄと外部電極17eの間に位相の異なる第一及び第二の駆動信号、例えば90度もしくは−90度異なる信号を印加することで積層圧電素子16に縦振動と屈曲振動が励振される。位相を逆転させることで縦振動と屈曲信号の位相が逆転し、移動体7の移動方向も逆となる。この位相は任意であり、0度と180度の切り替えを行っても構わない。
【００３０】
また分極方向に付いても任意であり、分極方向に応じて駆動信号の位相を逆転すれば同じ振動が励振される。
【００３１】
（実施の形態４）
図７は本発明の積層圧電素子の別の例を示したものである。図７(a)，図７（ｃ）はそれぞれ矩形形状からなる実施の形態４の積層圧電素子18を表裏から見た図であり、図７（ｄ），図７（ｅ）は断面図である。即ち図７（ｄ）、図７(e)に示す様に内部電極19a、19ｂ、19ｃもしくは内部電極19ｄ、19e、19ｆを一方の面に有する圧電素子18a、18ｂを交互に積層した構造となっている。内部電極19a、19ｂ、19ｃ、19ｄ、19ｅ、19ｆは圧電素子18a、18ｂの長手方向にほぼ三等分した形状となっており、積層圧電素子18の一つの面方向にのみ張り出しており、積層圧電素子18の側面で外部電極20a、20ｂ、20ｃ、20ｄ、20e、21a、21ｂ、21ｃ、21ｄ、21eで短絡されている。外部電極20eは積層圧電素子18の一方の面内で内部電極19ｂを短絡している。外部電極20a、20ｂは積層圧電素子18を長手方向に２分する領域で電極19aを短絡する。外部電極20ｃ、20ｄは積層圧電素子18を長手方向に２分する領域で電極19ｃを短絡する。
【００３２】
また、他方の面で外部電極21eは積層圧電素子18の一方の面内で内部電極19eを短絡している。外部電極21a、21ｂは積層圧電素子18を長手方向に２分する領域で電極19ｄを短絡する。外部電極21ｃ、21ｄは積層圧電素子18を長手方向に２分する領域で電極19ｆを短絡する。例えば外部電極20aと20ｂが短絡しない様に、その隙間に位置する場所に電極を有さない圧電素子18ｃを入れても構わない。
【００３３】
ここで、外部電極21a、２１ｂ，２１ｃ，２１ｄ，２１ｅをGNDとして外部電極２０a、20ｂ、20ｃ、20ｄ、20eに高電圧を加えることで、積層方向に分極処理がなされる。
【００３４】
本積層圧電素子13の駆動方法であるが、例えば外部電極21ｃ、21ｂ、21e、20ｂ、20ｃを図示しない導通手段により短絡し、GNDとして外部電極20eと図示しない導通手段により短絡された外部電極20a、20d、21a、21ｄとの間に位相の異なる駆動信号、即ち第一の駆動信号と第二の駆動信号、例えば90度もしくは−90度異なる信号を印加することで積層圧電素子18に縦振動と屈曲振動が励振される。位相を逆転させることで縦振動と屈曲信号の位相が逆転し、移動体7の移動方向も逆となる。
【００３５】
本発明によれば、圧電縦効果を用いるので大きな出力が得られると共に、分極方向が同じ方向で良い為、工程が簡単になると共に高い電圧まで破壊せずに使用できる。また分極方向の違いにより生じる特性ばらつきも生じない。
【００３６】
（実施の形態５）
図８は本発明の積層圧電素子の別の例を示したものである。図８(a)、図８（ｃ）はそれぞれ矩形形状からなる実施の形態４の例に対応する積層圧電素子22を表裏から見た図であり、図８（ｄ），図８（ｅ）は断面図である。即ち、図８（ｄ），図８（ｅ）に示す様に、内部電極23a、23ｂ、23ｃもしくは内部電極23ｄ、23e、23ｆを一方の面に有する圧電素子22a、22ｂを交互に積層した構造となっている。内部電極23ｂ、23eは圧電素子22a、22ｂの長手方向の中央部に設けられ、その両側には内部電極23a、23ｃ、23ｄ、23ｆが設けられ、積層圧電素子22の一つの面方向にのみ張り出しており、積層圧電素子22の側面で外部電極24a、24ｂ、2 4ｃ、24ｄ、24e、24ｆで短絡されている。外部電極24eは積層圧電素子22の一方の面内で内部電極23ｂを短絡している。外部電極24a、24ｂは積層圧電素子18を幅方向に２分する領域で電極23aを短絡する。外部電極24ｃ、24ｄは積層圧電素子18を幅方向に２分する領域で電極23ｃを短絡する。また他方の面で外部電極24ｆは内部電極23d、23e、23ｆを短絡している。
【００３７】
ここで、外部電極24ｆをGNDとして外部電極24a、24ｂ、24eにプラス方向の高電圧を、外部電極24ｂ、24ｃにマイナス方向の高電圧を加えることで加えることで積層方向に分極処理がなされる。
【００３８】
本積層圧電素子22の駆動方法であるが、例えば外部電極24ｆをGNDとして外部電極24eと外部電極24a、24ｂ、24ｃ、24ｄとの間に位相の異なる駆動信号、即ち第一の駆動信号と第二の駆動信号、例えば90度もしくは-90度異なる信号を印加することで積層圧電素子18に縦振動と屈曲振動が励振される。位相を逆転させることで縦振動と屈曲信号の位相が逆転し、移動体7の移動方向も変化する。
【００３９】
また本実施の形態の変形例を図９、図１０を用いて説明する。図９、図１０は図８(a)に対応させて示したものであり、即ち図９、図１０は積層圧電素子22の一方の面の外部電極の違いだけを示したものである。図９において、外部電極25eは積層圧電素子22の幅方向中央部に設けられ、内部電極２３ａ、23ｂ、23ｃを短絡させる。外部電極25ａ、25ｂは外部電極25eの両側で内部電極23aを短絡する。外部電極26ｃ、26ｄは外部電極25eの両側で内部電極23ｃを短絡する。ここで、外部電極25a、25ｂ、２５ｃ，２５ｄ，２５ｅは図８における外部電極24a、24ｂ、24ｃ、24ｄ、24eに相当させて分極、駆動させれば良い。
【００４０】
図１０において外部電極26eは積層圧電素子22の幅方向および長手方向中央部に設けられ、内部電極２３ａ、23ｂ、23ｃを短絡させる。外部電極26ａ、26ｂは外部電極26eの両側で内部電極23aを短絡する。外部電極26ｃ、26ｄは外部電極26eの両側で内部電極23ｃを短絡する。ここで、外部電極26a、26ｂ、２6ｃ，２6ｄ，２6ｅを図８における外部電極24a、24ｂ、24ｃ、24ｄ、24eに相当させて分極、駆動させれば良い。
【００４１】
本実施の形態は同様の実施の形態をとる実施の形態３の場合と比べ、振動を効率的に励振出来るという大きな特徴を有する。縦振動の励振に効果的な節部、即ち積層圧電素子２２の長手方向中央部に電極を有している。そして図９の場合には、屈曲振動を励振する圧電素子の電極２３ｂは駆動に用いていないため、実質上の隙間となり、内部電極23a、２３ｂ、２３ｃ及び２３ｄ，２３ｅ，２３ｆの間の隙間を小さくしても分極時や駆動信号印加の際の影響は受けない。従って電極23a、２３ｂ、２３ｃ、２３ｄ、２３ｅ、２３ｆ全てを用いて行う縦振動の励振の効率が良い。また、この電極２３ｂ，２３ｅの部分は屈曲振動の励振にはあまり寄与しないからこの部分を使わないことにより無駄な電力を消費せずに済む。
【００４２】
（実施の形態６）
本発明の超音波モータを用いて電子機器を構成した例を図１１を基に説明する。
【００４３】
図１１は本発明の駆動回路により駆動される超音波モータ1００を電子機器の駆動源に適用したブロック図を示したものであり、積層圧電素子１、９、１３、１６、１８，２２と積層圧電素子１、９、１６、１９に接合された摩擦部材2により摩擦駆動される移動体７と移動体７と一体に動作する伝達機構３２と、伝達機構３２の動作に基づいて動作する出力機構３３からなる。ここでは移動体を回転体とし、移動体を回転動作させる例について説明する。
【００４４】
ここで、伝達機構３２は例えば歯車列、摩擦車等の伝達車を用いる。出力機構３３としては、プリンタにおいては紙送り機構、カメラにおいてはシャッタ駆動機構、レンズ駆動機構、フィルム巻き上げ機構等を、また電子機器や計測器においては指針等を、ロボットにおいてはアーム機構、工作機械においては歯具送り機構や加工部材送り機構等を用いる。
【００４５】
尚、本実施の形態における電子機器としては電子時計、計測器、カメラ、プリンタ、印刷機、ロボット、工作機、ゲーム機、光情報機器、医療機器、移動装置等を実現できる。さらに移動体７に出力軸を設け、出力軸からのトルクを伝達するための動力伝達機構を有する構成とすれば、超音波モータ駆動装置を実現できる。
【００４６】
【発明の効果】
本発明によれば、複数の圧電素子の界面に設けられた内部電極は同一形状であり、内部電極を短絡する外部電極は少なくとも三つ有することにより、同じ形状の内部電極のみを用いているために製造時のばらつきが発生しにくい。そして外部電極の一つを共通電極（GND）とし、例えば他の二つの外部電極の何れかに信号を印加して二つの異なる振動の位相を変えるか、あるいは他の二つの外部電極に別々の信号を印加することで二つの振動を独立に励振する等の様々な駆動方法が可能となる。
【００４７】
また、この振動体構造により、複数の内部電極が設けられた同一の圧電素子シート材を面内方向に位置をずらしながら積層し、個々の振動体形状に分割した後で、前記分割した面に外部電極を設けるという製造方法が採れるため製造プロセスが簡単で、しかも短い時間に大量の振動体を作製可能な為、大幅に製造コストを引き下げられる。
【００４８】
また、外部電極どうしの間には電極を有さない圧電素子を設けることにより、製造時の外部電極どうしの短絡の防止や、この外部電極で短絡された内部電極が設けられた部分の分極時の影響が少なくなる。
【００４９】
さらに、外部電極のうち少なくとも一つは同一面内に存在する複数の内部電極を短絡するようにすることにより、内部電極の形状は同じであっても実際には異なる内部電極を有した場合と同等になり様々な振動の励振が可能となる。
【００５０】
また、前記複数の外部電極を短絡する複数の導通手段を有し、少なくとも一つの導通手段は、分極時に接地した外部電極と分極時に電位を加えた外部電極を短絡させれば一度の分極で済むと共に、分極方向が異なる部分での圧電特性の違いや分極方向が異なる境界部での応力集中による強度低下等を防ぐことが出来る。
【００５１】
また、振動体は矩形形状であり、駆動信号を印加する外部電極を選択することにより前記振動体に励振する縦振動と屈曲振動の位相を逆転させ移動体の移動方向を切り替えるようにすれば駆動回路が簡単になる。
【００５２】
また、振動体は矩形形状であり、複数の外部電極は第一の駆動信号もしくは第二の駆動信号が印加され、第一の駆動信号により振動体には縦振動が励振され、第二の駆動信号により振動体には屈曲振動が励振されるようにすれば、縦振動と屈曲振動を独立に励振可能であり、移動体の速度、推進力等を広範囲に渡って可変可能となり、更には高精度な位置決め制御が可能となる。
【００５３】
また、これらの振動体を用いた超音波モータを備えた電子機器は、その小型・薄型化、低消費電力化が可能となる。
【００５４】
以上のように、本発明によれば、簡単な製造プロセスで作製可能な積層圧電素子を振動体として用いるため低電圧で駆動でき、小型で高出力が得られると共に安価な超音波モータが実現できる。特に積層素子全体を一体的に焼結して作製することにより製品個々の特性ばらつきが小さく、信頼性が高く、内部損失が小さくて効率の高い超音波モータが得られる。そしてこれを用いた電子機器の小型、薄型化並びに低消費電力化が実現できる。
【図面の簡単な説明】
【図１】本発明にかかわるリニヤ型超音波モータの構成例を示す図である。
【図２】本発明にかかわる積層圧電素子の振動モードを示す図である。
【図３】本発明の実施の形態１にかかわる積層圧電素子の構成を示す図である。
【図４】本発明にかかわる積層圧電素子の製法を示す図である。
【図５】本発明の実施の形態２にかかわる積層圧電素子の構成を示す図である。
【図６】本発明の実施の形態３にかかわる積層圧電素子の構成を示す図である。
【図７】本発明の実施の形態４にかかわる積層圧電素子の構成を示す図である。
【図８】本発明の実施の形態５にかかわる積層圧電素子の構成を示す図である。
【図９】本発明の実施の形態５にかかわる積層圧電素子の別の構成を示す図である。
【図１０】本発明の実施の形態５にかかわる積層圧電素子の別の構成を示す図である。
【図１１】本発明にかかわる超音波モータを用いた電子機器を示すブロック図である。
【符号の説明】
１、９、１３、１６、１８、２２  積層圧電素子
２  摩擦部材
３  支持部材
４  加圧部材
６  加圧手段
７  移動体
１０、１４、１９、２３  内部電極
１１、１５、１７、２０、２１、２４、２５、２６  外部電極
【図１】
0004313610.tif 000002
【図２】
0004313610.tif 000003
【図３】
0004313610.tif 000004
【図４】
0004313610.tif 000005
【図５】
0004313610.tif 000006
【図６】
0004313610.tif 000007
【図７】
0004313610.tif 000008
【図８】
0004313610.tif 000009
【図９】
0004313610.tif 000010
【図１０】
0004313610.tif 000011
【図１１】
0004313610.tif 000012